(57)【要約】【課題】室内機の内部に導き入れられる空気中の塵埃の除去に寄与する新たな空気調和機を提供すること。【解決手段】空気調和機（１０）は、室外機（１２）と、空気の吸込み口（３０、３２）が設けられた頂面（２２ａ）及び前面（２２ｂ）を有し、また、エアフィルタ（２４）、熱交換器（２６）、クロスフローファン（２８）、空気の送出口（３４）及び該送出口を閉鎖可能であるルーバー（３６）を有する室内機（１４）と、室内機に取り付けられ熱交換器に相対する集塵フィルタ（３８）とを備える。【選択図】図２
2020139685.tif 000002
【特許請求の範囲】
【請求項１】
室外機と、
空気の吸込み口が設けられた頂面及び前面を有し、また、エアフィルタ、熱交換器、クロスフローファン、空気の送出口及び該送出口を閉鎖可能であるルーバーを有する室内機と
前記室内機に取り付けられ前記熱交換器に相対する集塵フィルタとを備える、空気調和機。
【請求項２】
前記集塵フィルタは前記室内機の外部に配置され前記室内機の頂面を覆っている、請求項１に記載の空気調和機。
【請求項３】
前記集塵フィルタは前記室内機の外部において前記室内機の頂面及び前面を覆っている、請求項１に記載の空気調和機。
【請求項４】
前記集塵フィルタは、前記室内機の内部において前記エアフィルタと前記熱交換器との間に配置されている、請求項１に記載の空気調和機。
【請求項５】
前記集塵フィルタは蛇腹折りの準HEPAフィルタからなる、請求項１〜４のいずれか１項に記載の空気調和機。
【請求項６】
前記室内機の送出口の周縁部又は前記ルーバーに取り付けられ、前記送出口と前記ルーバーとの間を密閉する密閉材を備える、請求項１〜５のいずれか１項に記載の空気調和機。
【請求項７】
前記室内機の内部に配置され前記クロスフローファンに向けて紫外線を放射する紫外線照射装置を備える、請求項１〜６のいずれか１項に記載の空気調和機。
【請求項８】
前記クロスフローファンの内部に配置され紫外線を放射方向へ放射する紫外線照射装置を備える、請求項１〜６のいずれか１項に記載の空気調和機。
【発明の詳細な説明】
【技術分野】
【０００１】
本発明は空気調和機に関する。
【背景技術】
【０００２】
従来、空気調和機の室内機の内部に配置された熱交換器への塵埃の付着及びこれに伴う熱交換器の性能低下の防止のため、集塵フィルタと該集塵フィルタに取り付けられ集塵フィルタの一部を覆う空気清浄フィルタとの使用が提案されている。これによれば、両フィルタを経て熱交換器に導かれる室内空気からのより細かい塵埃の除去が可能とされる。
【先行技術文献】
【特許文献】
【０００３】
【特許文献１】特開２００８−２８６４２７号公報
【発明の概要】
【発明が解決しようとする課題】
【０００４】
本発明は、前記従来の事情に鑑み、室内機の内部に導き入れられる空気中の塵埃の除去に寄与する新たな空気調和機を提供する。
【課題を解決するための手段】
【０００５】
本発明の第一の態様に係る空気調和機は、室外機と、室内機であって空気の吸込み口が設けられた頂面及び前面を有し、また、エアフィルタ、熱交換器、クロスフローファン、空気の送出口及び該送出口を閉鎖可能であるルーバーを有する室内機と、前記室内機に取り付けられ前記熱交換器に相対する集塵フィルタとを備える。
【０００６】
本発明の第二の態様に係る空気調和機にあっては、前記集塵フィルタが前記室内機の外部に配置され前記室内機の頂面を覆っている。
【０００７】
本発明の第三の態様に係る空気調和機にあっては、前記集塵フィルタが前記室内機の外部において前記室内機の頂面及び前面を覆っている。
【０００８】
本発明の第四の態様に係る空気調和機にあっては、前記集塵フィルタが、前記室内機の内部において前記エアフィルタと前記熱交換器との間に配置されている。
【０００９】
本発明の第五の態様に係る空気調和機は、第一乃至第四のいずれかの態様の空気調和機において、前記集塵フィルタが蛇腹折りの準HEPAフィルタからなる。
【００１０】
本発明の第六の態様に係る空気調和機は、第一乃至第五のいずれかの態様の空気調和機において、前記室内機の送出口の周縁部又は前記ルーバーに取り付けられ、前記送出口と前記ルーバーとの間を密閉する密閉材を備える。
【００１１】
本発明の第七の態様に係る空気調和機は、第一乃至第六のいずれかの態様の空気調和機において、前記室内機の内部に配置され前記クロスフローファンに向けて紫外線を放射する紫外線照射装置を備える。
【００１２】
本発明の第八の態様に係る空気調和機は、第一乃至第六のいずれかの態様の空気調和機において、前記クロスフローファンの内部に配置され紫外線を放射方向へ放射する紫外線照射装置を備える。
【発明の効果】
【００１３】
本発明によれば、室内機の内部に導き入れられる空気中の塵埃の除去に寄与する新たな空気調和機が提供される。
【図面の簡単な説明】
【００１４】
【図１】空気調和機を概略的に示す図である。
【図２】エアフィルタと前記熱交換器との間に集塵フィルタが配置されている室内機の横断面を概略的に示す図である。
【発明を実施するための形態】
【００１５】
以下、本実施形態に係る空気調和機について詳細に説明する。なお、図面の寸法比率は説明の都合上誇張されており、実際の比率とは異なる場合がある。
【００１６】
図１を参照すると、本実施形態に係る空気調和機が全体に符号１０で示されている。
【００１７】
空気調和機１０は屋外に設置される室外機１２と、屋内に設置される室内機１４とを備える。室外機１２と室内機１４とは、屋内外を仕切る壁１６を経て伸びる冷媒配管及び制御用電線の双方１８を介して相互に接続され、冷凍サイクルによる室Ｒの冷房運転又は暖房運転を行う。
【００１８】
空気調和機１０の室外機１２は前記冷凍サイクルを行う冷媒の圧縮機、熱交換器、送風機、膨張弁等（図示せず）が収納されたケーシング２０を有する。また、室内機１４はエアフィルタ２４（図２参照）、前記冷凍サイクルを行う複数のエレメント２６ａからなる熱交換器２６（図２参照）、クロスフローファン２８（図２参照）等が収納されたケーシング２２を有する。
【００１９】
室内機１４は、そのケーシング２２が規定する頂面２２ａ及び前面２２ｂを有する。室内機１４は、ケーシング２２に設けられた複数の空気の吸込み口３０、３２（図２参照）と、空気の送出口３４（図２参照）とを有する。吸込み口３０、３２は、それぞれ、ケーシング２２の頂面２２ａ及び前面２２ｂに開放している。また、室内機１４は、ケーシング２２に設けられ送出口３４を閉鎖可能である複数の板状体３６ａからなるルーバー３６（図２参照）を有する。また、ケーシング２２には複数の風向板３７が設けられている。ルーバー３６及び風向板３７は、それぞれ、送出口３４から吹き出される空気を上下方向及び左右方向へ案内する働きをなす。
【００２０】
前記冷房運転又は暖房運転において、室内機１４が配置された室Ｒ内の空気は、室内機１４の吸込み口３０、３２を通してケーシング２２内に導入され、熱交換器２６を経て、ルーバー３６による上下方向への案内作用及び風向板３７による左右方向への案内作用の下、送出口３４から冷気又は暖気として室Ｒ内に送り出される。
【００２１】
図１及び図２を参照すると、空気調和機１０は、室内機１４、より詳細にはそのケーシング２２に取り付けられ熱交換器２６に相対する集塵フィルタ３８を備える。
【００２２】
図１に示す例において、集塵フィルタ３８は、室内機１４の外部において、室内機１４の頂面２２ａ及び前面２２ｂを覆い、熱交換器２６に相対している。これによれば、室Ｒ内の空気は、集塵フィルタ３８とケーシング２２の頂面２２ａの吸込み口３０及び前面２２ｂの吸込み口３２とを順次に経てケーシング２２の内部に導入され、次いで、ケーシング２２内のエアフィルタ２４を通って熱交換器２６へと導かれる。これによれば、集塵フィルタ３８及びエアフィルタ２４の双方による集塵作用により、ケーシング２２内への塵埃の侵入と、これに伴うケーシング２２の内部及び熱交換器２６への汚れの付着の程度が低減される。
【００２３】
集塵フィルタ３８は例えばガラス繊維製の不織布からなる。図示の例にあっては、集塵フィルタ３８は、蛇腹折りの２つの準HEPAフィルタ３８ａ、３８ｂからなる。各準HEPAフィルタ３８ａ、３８ｂは、これを通る空気から比較的微小な塵埃を捕える性能を有する。これによれば、特に、前記微小な塵埃やカビ胞子の進入と、これに伴うケーシング２２の内部及び熱交換器２６への汚れの付着やカビの増殖の低減とを図ることができる。また、各準HEPAフィルタ３８ａ、３８ｂを蛇腹折りとすることにより、これを通る空気の通過面積を比較的大きいものとし、ケーシング２２内への比較的多量の空気の導入を確保することができる。
【００２４】
集塵フィルタ３８は、室内機１４の頂面２２ａ及び前面２２ｂの双方を覆う図１に示す例に代えて、頂面２２ａ及び前面２２ｂのうちのいずれか一方のみ、好ましくは頂面２２ａのみを覆うものとすることができる。
【００２５】
また、集塵フィルタ３８は、図２に示すように、室内機１４のケーシング２２の内部においてエアフィルタ２４と熱交換器２６との間に位置するように配置することができる。
【００２６】
図２に示す例において、集塵フィルタ３８は蛇腹折りの２つの準HEPAフィルタ３８ａ、３８ｂからなる。両準HEPAフィルタ３８ａ、３８ｂは、図２で見て、熱交換器２６の周囲に互いに間隔をおいて配置され、熱交換器２６とケーシング２２の頂面２２ａ及び前面２２ｂとに相対している。この例にあっては、集塵フィルタ３８がケーシング２２の内部にあって人の目に触れないことから、室内機１４の外見上の見栄えを比較的良いものとすることが可能である。
【００２７】
空気調和機１０は、さらに、室内機１４の送出口３４の周囲の辺縁部である周縁部又はルーバー３６の各板状体３６ａに取り付けられ、送出口３４と各板状体３６ａとの間を密閉する密閉材（図示せず）を備えるものとすることができる。これによれば、空気調和機１０の非運転時、送出口３４を通してのケーシング２２の内部へのカビ胞子の侵入及びカビの繁殖の低減を図ることが可能である。
【００２８】
空気調和機１０は、さらに、室内機１４の内部に配置されクロスフローファン２８に向けて紫外線を放射する紫外線照射装置（図示せず）を備えるものとすることができる。これによれば、ケーシング２２の内部やクロスフローファン２８に付着し、あるいは、ケーシング２２内を浮遊するカビ胞子に紫外線を当て、これらを死滅させることができる。
【００２９】
空気調和機１０は、また、クロスフローファン２８の内部に配置され紫外線を放射方向へ放射する紫外線照射装置（図示せず）を備えるものとすることができる。これによれば、クロスフローファン２８の内周面に付着したカビの胞子を死滅させることができる。また、クロスフローファン２８の内外両周面に開放する複数の穴２８ａを通して照射される紫外線により、ケーシング２２の内面及び熱交換器２６に付着したカビ胞子を死滅させることができる。
【００３０】
以上、本実施形態の内容を説明したが、本実施形態はこれらの記載に限定されるものではなく、種々の変形及び改良が可能であることは、当業者には自明である。
【符号の説明】
【００３１】
１０  空気調和機
１２  室外機
１４  室内機
２４  エアフィルタ
２６  熱交換器
２８  クロスフローファン
３０、３２  空気の吸込み口
３４  空気の送出口
３６  ルーバー
３８  集塵フィルタ
【図１】
2020139685.tif 000003
【図２】
2020139685.tif 000004